(57)【特許請求の範囲】
【請求項１】
二つの保持板と一つの説明書保持板とが折り部を介して一連に連接されていて、
前記二枚の保持板により、この保持板の間の折り部から折り畳んだときに対向する前記保持板の片面それぞれに、凸の収納部分に薬剤を収めたＰＴＰシートを保持して、前記片面それぞれにＰＴＰシートの薬剤取り出し側の面が相対するフォルダー部が設けられており、
前記フォルダー部の一端部から前記ＰＴＰシートそれぞれの収納部分が内方となるようにして二つの保持板と一つの説明書保持板とを巻き折り状に折り畳んだ時の巻き終わり部分に、折り畳まれたフォルダー部に係脱可能に係止して折り畳み状態を維持する巻き止め部が設けられていて、
前記フォルダー部における保持板それぞれは、折り部の方向に直交する対向二辺である上辺部分と下辺部分とを折り倒した折り倒し片からなり前記ＰＴＰシートを保持板の連接方向に移動可能にしてこのＰＴＰシートの辺部を挟み込み保持する保持手段を備え、保持板の片面側に配置されたＰＴＰシートを前記保持手段に着脱可能に保持して、ＰＴＰシートが保持板の連接方向に移動可能に設けられ、前記フォルダー部を折り畳んだときのＰＴＰシートの収納部分が、相対するＰＴＰシートの収納部分の間に対応した入れ子状態にできる構成としたことを特徴とする携帯用薬剤フォルダー。
【請求項２】
上記保持板にミシン目により囲まれて分離可能とした開口予定部を備え、該開口予定部の分離により開口が形成されて、前記保持板に保持されたＰＴＰシートの薬剤取り出し側を開放する構成とした請求項１に記載の携帯用薬剤フォルダー。
【発明の詳細な説明】
【０００１】
【発明の属する技術分野】
本発明は、錠剤やカプセル剤を収納凹部に一個ずつ収納したＰＴＰ（プレススルーパッケージ）シートである薬剤包装体を携帯できるようにしたフォルダーに関するものである。
【０００２】
【発明が解決しようとする課題】
従来から、一般医薬品としての薬剤、特に錠剤やカプセル剤などの粒状の薬剤において、一回の服用時に飲む数が多いものや服用の度合いが多い薬剤では、これを瓶に収納してから薬剤情報などを記載したシートとともに外箱に収納した製品として提供されている。また、服用の度合いが少ない薬剤においてはＰＴＰシートも用いられている。
前記ＰＴＰシートは、塩化ビニルなどのプラスチックシートからなるシート本体に薬剤に形状に応じ複数の収納凹部をシート本体の片面から凹陥して形成して、その収納凹部それぞれに薬剤を配し、その片面に硬質アルミニウムシートからなる蓋シートを取着して前記収納凹部それぞれを封止しているものであり、このＰＴＰシートでは蓋シートにおける収納凹部対応部を薬剤取り出し部分としており、収納凹部の凸となっている側から押すことで薬剤が収納凹部対応部の蓋シートを破って取り出すことができるようにしている。そして、ＰＴＰシートに収納した薬剤においても、上述の瓶を用いたものと同様に薬剤情報などを記載したシートとともに外箱に収納した製品として提供されている。
また、粉薬（粉状、顆粒状の薬）の包装形態においては、やはり市販薬では各種専用ケースに収容した状態となっているとともに、医局などで調整されて提供されるものでは、二枚のシートの四方貼り合わせや一枚シートを折った後の三方貼り合わせなどの形態での包装による貼り合わせ袋が用いられている。
【０００３】
このように薬剤の包装にはいろいろな形態が採用されているが、これらの包装形態は流通時点での取り扱いや薬剤店での製品陳列などに便宜が払われた包装形態であるため、服用者が複数種の薬剤を携帯しようとした場合、外箱などの外装材は破棄して複数のＰＴＰシートや貼り合わせ袋をバラの状態で所持することとなり、薬剤に対する取り扱いが不適切なものになり易いという問題がある。
【０００４】
そこで本発明は上記事情に鑑み、薬剤を収納したＰＴＰシートの携帯性を向上させることを課題とし、携帯時における薬剤に対する取り扱いを簡単にして安全に行なえるようにすることを目的とする。
【０００５】
【課題を解決するための手段】
本発明は上記課題を考慮してなされたもので、二つの保持板と一つの説明書保持板とが折り部を介して一連に連接されていて、
前記二枚の保持板により、この保持板の間の折り部から折り畳んだときに対向する前記保持板の片面それぞれに、凸の収納部分に薬剤を収めたＰＴＰシートを保持して、前記片面それぞれにＰＴＰシートの薬剤取り出し側の面が相対するフォルダー部が設けられており、
前記フォルダー部の一端部から前記ＰＴＰシートそれぞれの収納部分が内方となるようにして二つの保持板と一つの説明書保持板とを巻き折り状に折り畳んだ時の巻き終わり部分に、折り畳まれたフォルダー部に係脱可能に係止して折り畳み状態を維持する巻き止め部が設けられていて、
前記フォルダー部における保持板それぞれは、折り部の方向に直交する対向二辺である上辺部分と下辺部分とを折り倒した折り倒し片からなり前記ＰＴＰシートを保持板の連接方向に移動可能にしてこのＰＴＰシートの辺部を挟み込み保持する保持手段を備え、保持板の片面側に配置されたＰＴＰシートを前記保持手段に着脱可能に保持して、ＰＴＰシートが保持板の連接方向に移動可能に設けられ、前記フォルダー部を折り畳んだときのＰＴＰシートの収納部分が、相対するＰＴＰシートの収納部分の間に対応した入れ子状態にできる構成としたことを特徴とする携帯用薬剤フォルダーを提供して、上記課題を解消するものである。
そして本発明において、上記保持板にミシン目により囲まれて分離可能とした開口予定部を備え、該開口予定部の分離により開口が形成されて、前記保持板に保持されたＰＴＰシートの薬剤取り出し側を開放する構成とすることができるものである。
【０００６】
【発明の実施の形態】
つぎに本発明を図１から図６に示す実施の形態に基づいて詳細に説明する。
図中１は薬剤包装体を保持する携帯用薬剤フォルダーで、該携帯用薬剤フォルダー１は紙板製のものであり、二つの保持板２を折り部３を介して連接したフォルダー部４と巻き止め部５とを備えて、前記フォルダー部４の一端から巻き折りするように折り畳むことで小型化でき、そして、薬剤や包装体を取り出すときにはフォルダー部４を巻き状態から展開するものである。
【０００７】
上記フォルダー部４における保持板２それぞれは、巻き折りするときに内方となる面側にＰＴＰシートである薬剤包装体ａを位置させて着脱可能に保持するための保持手段６を備えている。図２に示すごとく折り部３に沿う方向に直交する対向二辺である上辺部分と下辺部分とに折り返し片７を連接し、この折り返し片７それぞれを薬剤包装体ａを位置させる側に折り倒し、さらにその折元側に配した接着剤８を介して貼り合わせることで前記保持手段６を上下に位置させた状態で備えている。
このように保持手段６は折り返し片７を折り倒して折元の部分で貼り合わせているため、折り返し片の先端縁側は非接着部７ａとなっており、この非接着部７ａと保持板２との間に薬剤包装体ａの辺部を着脱可能に差し入れできるようにでき、よって、上下に対向位置する保持手段６それぞれに薬剤包装体ａの辺部を差し入れることで、この薬剤包装体ａが着脱可能に保持される。
【０００８】
図１から図３に示す実施の例においてフォルダー部４は二つの保持板２が折り部３を介して連接されたものであり、このフォルダー部４における巻き終わり側の部分には図示するように説明書保持板９が連接されている。説明書保持板９は二枚の板材の重ね合わせによりなるものであり、巻き折りしたときの内方となる板材に切り込みからなる説明書保持手段１０が設けられている。
図示されているように前記フォルダー部４の二つの保持板２と説明書保持板９とが折り部３を介して連続し、さらに巻き折りしたときの巻き終わりとなる側において、即ち前記説明書保持板９の辺部に折り部３を介して上記巻き止め部５が連接されている。
巻き止め部５は折り畳まれたフォルダー部４において外方となる一つの保持板２に重ねられるものであり、切り込み形成した係止片１１を、対応する保持板２側に設けた係止孔１２に係脱可能に係止させることで、フォルダー１の折り畳み状態を維持する。勿論、巻き止め部５の前記係止片１１を係止孔１２から外せば、全体を展開できる状態となり、よって、フォルダー部４を展開すれば保持板２に配されている薬剤包装体を取り外すことができる。
【０００９】
なお、薬剤を収納したＰＴＰシートには或る程度の厚さがあるため、上記各折り部の幅寸法は、薬剤包装体を保持板に配した状態で巻き折り状に折り畳んだときにも、相対した薬剤包装体が強く押し付け合わないように設定されている。また、図５に示すように、相対するＰＴＰシートが、保持板の連接方向に移動可能となるようにしておけばよく、相対する収納部分が入れ子状態になり、薬剤同士が強く押し付け合わされることを防止できる。
【００１０】
図４に示すようにフォルダー部４における保持板２それぞれには、指掛け孔１３に連続するようにしてミシン目１４が連接されており、ミシン目１４により囲まれて分離可能とした開口予定部１４を備えている。この開口予定部１４を備えていることから、前記開口予定部１５を分離して開口１６を形成することで、図６に示すようにＰＴＰシートの薬剤取り出し側を開放する構成となり、よって、ＰＴＰシートの収納部分を押すことにより薬剤を前記開口１６を通して取り出すことができ、ＰＴＰシートを保持板２から取り外さずとも薬剤の取り出しが行なえるようにしているものである。
なお、上記巻き止め部５が対応する保持板２にあっては係止孔１２が指掛け孔１３を兼用している。
【００１１】
（削除）
【００１２】
（削除）
【００１３】
【発明の効果】
以上説明した本発明の携帯用薬剤フォルダーによれば、二つの保持板と一つの説明書保持板とが折り部を介して一連に連接されていて、
前記二枚の保持板により、この保持板の間の折り部から折り畳んだときに対向する前記保持板の片面それぞれに、凸の収納部分に薬剤を収めたＰＴＰシートを保持して、前記片面それぞれにＰＴＰシートの薬剤取り出し側の面が相対するフォルダー部が設けられており、
前記フォルダー部の一端部から前記ＰＴＰシートそれぞれの収納部分が内方となるようにして二つの保持板と一つの説明書保持板とを巻き折り状に折り畳んだ時の巻き終わり部分に、折り畳まれたフォルダー部に係脱可能に係止して折り畳み状態を維持する巻き止め部が設けられていて、
前記フォルダー部における保持板それぞれは、折り部の方向に直交する対向二辺である上辺部分と下辺部分とを折り倒した折り倒し片からなり前記ＰＴＰシートを保持板の連接方向に移動可能にしてこのＰＴＰシートの辺部を挟み込み保持する保持手段を備え、保持板の片面側に配置されたＰＴＰシートを前記保持手段に着脱可能に保持して、ＰＴＰシートが保持板の連接方向に移動可能に設けられ、前記フォルダー部を折り畳んだときのＰＴＰシートの収納部分が、相対するＰＴＰシートの収納部分の間に対応した入れ子状態にできる構成としたことを特徴とするものである。
このようにＰＴＰシートである薬剤包装体を、巻き折り状に折り畳むことのできるフォルダー部の保持板それぞれに着脱可能に保持させることができ、また、服用する際にはこのフォルダーを展開すればよく、薬剤包装体を持ち歩くなどする場合の取り扱いが簡単になる。そして、フォルダーを巻き折り状に折り畳むときにその内方に薬剤包装材が位置するようにしているため、外部から他物がフォルダーにぶつかることなどがあっても薬剤包装体側に破損を生じさせない。これによって薬剤を適正な状態で、かつ、安全に所持できるようになるなど、実用性に優れた効果を奏するものである。
【図面の簡単な説明】
【図１】本発明に係る携帯用薬剤フォルダーの一例を開いた状態で示す説明図である。
【図２】一例を展開した状態で示す説明図である。
【図３】一例におけるフォルダー部を断面で示す説明図である。
【図４】一例の折り畳み状態を示す説明図である。
【図５】一例の折り畳み状態を断面で示す説明図である。
【図６】ＰＴＰシートよりなる薬剤包装体からの薬剤の取り出しを示す説明図である。
【符号の説明】
１…携帯用薬剤フォルダー
２…保持板
４…フォルダー部
５…巻き止め部
６…保持手段
１１…係止片
１２…係止孔
１３…指掛け孔
１５…開口予定部
ａ…薬剤包装体
【図１】
0004802404.tif 000002
【図２】
0004802404.tif 000003
【図３】
0004802404.tif 000004
【図４】
0004802404.tif 000005
【図５】
0004802404.tif 000006
【図６】
0004802404.tif 000007